(57)【要約】【課題】樹脂枠の室内側アングル部１０の意匠性（見栄え）を向上させることができる断熱サッシ。【解決手段】室外側を金属枠、室内側を樹脂枠とした複合構造の断熱サッシ枠において、樹脂枠に形成されたアングル部１０を建屋躯体の開口部Ａの内周面に設けられた額縁２２の室外側端面に当接する位置決め片１１と、額縁２２の内面にネジ止めする取付片１２とから形成し、上記アングル部の取付片の室内側見付面部には室内側係合部２５が形成され、取付片１２のサッシ開口側の見込面の室外側寄りには室外側係合部２６が形成され、両係合部には建屋躯体への取付ビスの頭を隠す樹脂製のカバー材２３ａ、２３ｂ、２３ｃが係合して取り付けられている。【選択図】        図３
2004360322.tif 000002
【特許請求の範囲】
【請求項１】
室外側を金属枠、室内側を樹脂枠とした複合構造の断熱サッシ枠において、樹脂枠に形成されたアングル部に、建屋躯体の開口部の内周部材の内面にネジ止めする取付片を形成し、前記取付片の室内側見付面部には室内側係合部が形成され、前記取付片のサッシ開口側の見込面の室外側寄りには室外側係合部が形成され、前記両係合部には建屋躯体への取付ビスの頭を隠す樹脂製のカバー材が係合して取り付けられていることを特徴とする断熱サッシ。
【請求項２】
室外側を金属枠、室内側を樹脂枠とした複合構造の断熱サッシ枠において、樹脂枠に形成されたアングル部に、建屋躯体の開口部の内周部材の内面にネジ止めする取付片を形成し、前記取付片の室内側見付面部には室内側係合部が形成され、前記取付片の室外側端部には室外側係合部が形成され、前記両係合部には建屋躯体への取付ビスの頭を隠す樹脂製のカバー材が係合して取り付けられていることを特徴とする断熱サッシ。
【請求項３】
前記上枠、下枠、左右の縦枠に取り付けた樹脂製カバー材が突合せられた四隅には、コーナーキャップを設けたことを特徴とする請求項１又は２に記載の断熱サッシ。
【請求項４】
前記コーナーキャップのうち、前記縦枠と下枠との突合せ部に設けられたコーナーキャップには、縦枠のカバー材に生じた結露水を受ける結露水受けが形成されていることを特徴とする、請求項３に記載の断熱サッシ。
【発明の詳細な説明】
【０００１】
【発明の属する技術分野】
本発明は、室外側は金属枠、室内側は樹脂枠からなる複合構造の断熱サッシに関する。
【０００２】
【従来技術とその問題点】
一般に、断熱サッシは、上枠、下枠及び左右の縦枠とから構成されているとともに、各枠は室外側を金属枠とし、室内側を合成樹脂製の樹脂枠とした複合構造から成っている。室内側の端部には額縁状のアングル部が配置され、建屋躯体開口部の内周面に設けられた額縁の内周面にビス止めによって固定される。このとき、金属枠を室内側まで延長させて金属枠のアングル部を躯体開口部に固定する場合と、樹脂枠のアングル部を直接に躯体開口部に固定する場合とがある。いずれの場合も、アングル部から躯体開口部の額縁に多数の取付ビスがねじ込まれるので、取付ビスの頭が室内側に露出することになり、内観が損なわれる。このため、特許文献１のように、金属枠のアングル部を躯体にネジで固定するとともに、その上から樹脂枠のアングル部で覆う構成を採用したものが知られている（例えば、特許文献１参照）。
【０００３】
【特許文献１】
特開平２００２−１７４０７８号公報
【０００４】
【発明が解決しようとする課題】
しかしながら、金属枠のアングル部を樹脂枠のアングル部で覆うとき、樹脂枠のアングル部を金属枠に係止する構成であるから、金属枠と樹脂枠の両方の寸法精度を高くしないとうまく係止できないだけでなく、樹脂枠の方が変形してアングル部全体の見栄えが損なわれてしまうという問題があった。
【０００５】
また、アングル部は上下枠及び縦枠に形成され、各アングル部は直角に突合せられて全体として方形に形成されている。しかし、コーナー部においてアングル部が熱収縮を起した場合、隙間が生じてしまうことがあった。
【０００６】
本発明は上記問題点を解消し、樹脂枠の室内側アングル部の意匠性（見栄え）を向上させることができる断熱サッシを提供することをその課題とする。
【０００７】
これに加え、本発明は熱収縮によるコーナー部の隙間が外部に露出するのを良好に防止することができる断熱サッシを提供することをその課題とする。
【０００８】
【課題を解決するための手段】
前記課題を解決するため、本発明に係る断熱サッシは、室外側を金属枠、室内側を樹脂枠とした複合構造の断熱サッシ枠において、樹脂枠に形成されたアングル部に、建屋躯体の開口部の内周部材の内面にネジ止めする取付片を形成し、前記取付片の室内側見付面部には室内側係合部が形成され、前記取付片のサッシ開口側の見込面の室外側寄りには室外側係合部が形成され、前記両係合部には建屋躯体への取付ビスの頭を隠す樹脂製のカバー材が係合して取り付けられていることを特徴とする。
【０００９】
本発明に係る断熱サッシは、また、室外側を金属枠、室内側を樹脂枠とした複合構造の断熱サッシ枠において、樹脂枠に形成されたアングル部に、建屋躯体の開口部の内周部材の内面にネジ止めする取付片を形成し、前記取付片の室内側見付面部には室内側係合部が形成され、前記取付片の室外側端部には室外側係合部が形成され、前記両係合部には建屋躯体への取付ビスの頭を隠す樹脂製のカバー材が係合して取り付けられるように構成してもよい。
【００１０】
なお、前記上枠、下枠、左右の縦枠に取り付けた樹脂製カバー材が突合せられた四隅には、コーナーキャップを設けるのが好ましい。
【００１１】
このとき、前記コーナーキャップのうち、前記縦枠と下枠との突合せ部に設けられたコーナーキャップには、縦枠のカバー材に生じた結露水を受ける結露水受けが形成されている。
【００１２】
【発明の実施の形態】
図１は本発明に係る断熱サッシの縦断面図であり、図２はその横断面図である。この断熱サッシは、上枠１と下枠２と左右の縦枠３とからなり、内側に網戸４と室外側の外障子５と室内側の内障子６とを摺動自在に収納したもので、図３及び図４に詳しく示されるように、上記各枠は室外側の金属枠ａと室内側の樹脂枠ｂとを結合した複合構造になっている。金属枠ａはアルミニウム又はその合金製の押出型材から形成され、樹脂枠ｂは塩化ビニルなどの合成樹脂の押出型材から形成されている。
【００１３】
上枠１は、網戸用案内レール７ａと、外障子５と内障子６を案内する案内レール８、９と、アングル部１０とを備え、内側の案内レール９の溝には金属補強部材１３が挿入され、補強部材１３は金属枠ａに固定されている。アングル部１０は、樹脂枠ｂの室内側に見込み方向に対して直角に設けられた位置決め片１１と、位置決め片１１から室内側に直角に（見込み方向に）形成された取付片１２とから形成されている。
【００１４】
下枠２は、網戸用走行レール７ｂと、外障子５と内障子６の走行を案内する走行レール１４、１５と、アングル部１０とを備え、樹脂枠ｂは外側走行レール１４と内側走行レール１５との間に設けられた樹脂枠ｂ１と、金属枠ａの室内側部分の上下に配置された樹脂枠ｂ２、ｂ３とから構成されている。アングル部１０は樹脂枠ｂ２に形成され、樹脂枠ｂ２の室内側に見込み方向に対して直角に設けられた位置決め片１１と、位置決め片１１から室内側に直角に（見込み方向に）形成された取付片１２とから形成されている。
【００１５】
縦枠３は、障子案内縁１３とアングル部１０とを備え、アングル部１０は樹脂枠ｂによって構成され、樹脂枠ｂの室内側に見込み方向に対して直角に設けられた位置決め片１１と、位置決め片１１から室内側に直角に（見込み方向に）形成された取付片１２とから形成されている。
【００１６】
上記上枠１と下枠２と左右の縦枠３とは方形に枠組みされ、各枠の外方に突出した取付フィン１６、１７、１８と金属枠ａの室内側部分１９、２０、２１が建屋躯体の開口部Ａの周縁部ａ１、ａ２、ａ３にビス止め固定されている。また、アングル部１０の位置決め片１１は建屋躯体の開口部Ａの内周面に設けられた額縁２２の室外側端面に当接し、取付片１２は上記開口部Ａの内周面に設けられた額縁２２に取付ビス（丸木ネジ）によってビス止め固定されている。なお、位置決め片１１が当接するのは、建屋躯体の開口部Ａの内周面を構成するように配置された内周部材であればよく、必ずしも額縁２２に限定されない。
【００１７】
次に、アングル部１０の上にはカバー材２３ａ、２３ｂ、２３ｃが取り付けられている。すなわち、図５（ａ）（ｂ）（ｃ）に示されるように、上枠１、下枠２及び縦枠３のアングル部１０の取付片１２の室内側見付面部には室内側係合部２５が形成されている。また、取付片１２のサッシ開口側の見込面の室外側寄りには、先端に顎部を有する室外側係合部２６が形成されている。これに対し、カバー材２３ａ、２３ｂ、２３ｃは合成樹脂製押出型材によって形成され、面板２７の一側縁から長片２８、他側縁から短片２９を同方向に突出してなるもので、長片２８の先端内側には係合突部３０が形成され、短片２９の先端内側には係合顎３１が形成されている。
【００１８】
そして、上記アングル部１０にカバー材２３ａ、２３ｂ、２３ｃを取り付けるときは、下枠２については、図６に示すように、アングル部１０の室内側係合部２５にカバー材２３ｂの係合突部３０を係合させ、この状態で上記係合部を中心にカバー材２３ｂを回動させて、アングル部１０の室外側係合部２６の顎部にカバー材２３ｂの係合顎３１を係合させればよい。上枠１及び縦枠３の場合も同様にすればよい。また、上枠１と縦枠３、縦枠３と下枠２の各アングル部１０とその上のカバー材２３ａ、２３ｂ、２３ｃの端部は四隅において突合せられる。
【００１９】
カバー材２３ａ、２３ｂ、２３ｃの取り付けによって、アングル部１０の取付片１２とカバー材２３ａ、２３ｂ、２３ｃとの間には空間３３（図５（ｂ）参照）が形成される。この空間３３は取付片１２を固定した取付ビス３４の頭を隠すための空間として利用することができる。
【００２０】
なお、下枠２のアングル部１０を覆うカバー材２３ｂは、面板２７にこぼれた水や結露水を排水できるように、面板２７を室外側に向かって低く傾斜させるのが好ましい。
【００２１】
次に、上記上枠１、下枠２、左右の縦枠３に取り付けたカバー材２３ａ、２３ｂ、２３ｃの四隅の突合せ部には、上下各１対のコーナーキャップ３５、３６が設けられている。このコーナーキャップ３５、３６は、上下枠２に沿って配置される水平部３７と縦枠３に沿って配置される垂直部３８とを直角に連結したものであるが、上部コーナーキャップ３５の水平部３７は、上枠１のアングル部１０の位置決め片１１のうち取付片１２よりも下方の部分と上枠１のカバー材２３ａの外形とに即して形成されている。また、下部コーナーキャップ３６の水平部３７は下枠２のカバー材２３ｂの外形に即して形成されている。これに対し、上下部のコーナーキャップ３５、３６の垂直部３８は対応するカバー材２３ｃの外形に即した形状になっている。
【００２２】
また、図７（ａ）（ｂ）に示されるように、下部コーナーキャップ３６の垂直部３８の上端面３８ａは、カバー材２３ｂの面板２７と同様に、室外側に向かって低く傾斜するように形成されているとともに、その外側縁には縁壁３９が形成されている。上記上端面３８ａと縁壁３９とによって結露水受け４０が形成される。
【００２３】
上下部のコーナーキャップ３５、３６の垂直部３８の内側には長短の係止片４１、４２が突出形成されている。縦枠３のアングル部１０には、長い係止片４１に対応する位置に係止孔４３が形成されている。また、縦枠３のカバー材２３ｃには短い係止片４２に対応する位置に係止孔４４が形成されている（図５参照）。
【００２４】
コーナーキャップ３５、３６は、水平部３７を上下のカバー材２３ａ、２３ｂの面板上に当接し、垂直部３８の長短の係止片４１、４２をそれぞれ縦枠３のアングル部１０とカバー材２３ｃの各係止孔４３、４４に係止して固定すればよい。
【００２５】
なお、コーナーキャップ３５、３６の垂直部３８の裏面には両面テープ（図示せず）を取り付け、この両面テープをカバー材２３ｃの面板に貼着するようにしてもよい。
【００２６】
上述の構成によれば、樹脂枠ｂの室内側アングル部１０によって建屋躯体に固定するための取付ビス３４の頭を隠すことができるため、アングル部１０の見栄えがよくなる。
【００２７】
また、コーナーキャップ３５、３６を設けることにより、たとえカバー材２３ａ、２３ｂ、２３ｃが熱収縮を起して隙間ができたとしても、この隙間を隠すことができるので、コーナー部の意匠性が向上する。
【００２８】
ところで、カバー材２３ｃが合成樹脂からなるといっても、断熱が完全であるわけではないから、その表面にも結露が生じる場合がある。しかし、縦枠３と下枠２との間に設けられる下部コーナーキャップ３６の垂直部３８の上面と縁壁３９とによって結露水受け４０が形成されているから、縦枠３のカバー材２３ｃの表面に結露が生じても、結露水はコーナーキャップ３６の上端面に流れ落ち、結露水受け４０の傾斜に沿って流れ、室外側に排出される。このように、コーナーキャップ３６に結露水受け４０の機能を持たせたので、結露水が効率的に処理される。
【００２９】
なお、アングル部１０とカバー材２３ａ、２３ｂ、２３ｃとの係合態様は上記図示例に限定されない。例えば、図８、図９のように構成してもよい。なお、同図において各枠はアングル部１０を除いては上記図示例のものと同じ構成とする。
【００３０】
アングル部１０の取付片１２は上記開口部Ａの内周面に設けられた額縁２２に取付ビス（皿木ネジ）３４（図１０参照）によってビス止め固定されている。アングル部１０の上にはカバー材２３ａ、２３ｂ、２３ｃが取り付けられている。すなわち、図１０（ａ）（ｂ）（ｃ）に示されるように、上枠１のアングル部１０の取付片１２の室内側見付面部には室内側係合部２５が形成されている。また、取付片１２の室外側端部には、溝状の室外側係合部２６が形成されている。そして、縦枠３と下枠２においても、アングル部１０の取付片１２の室内側見付面部には室内側係合部２５が形成されている。また、取付片１２の室外側端部には、突状の室外側係合部２６が形成されている。これに対し、カバー材２３ａ、２３ｂ、２３ｃは合成樹脂製押出型材によって形成され、面板２７の両側縁から直角に係合片４５、４６を突出してなるもので、室内側の係合片４５の先端には係合突部４７が形成され、室外側の係合片４６の先端には係合突部４８が形成されている。
【００３１】
そして、上記アングル部１０にカバー材２３ｂを取り付けるときは、下枠２については図１１に示すように、アングル部１０の室内側係合部２５にカバー材２３ｂの係合突部４７を係合させ、この状態で上記係合部を中心にカバー材２３ｂを回動させて、アングル部１０の室外側係合部２６にカバー材２３ｂの係合突部４８を係合させればよい。上枠１と縦枠３も同様にして取り付ければよい。また、上枠１と縦枠３、縦枠３と下枠２の各アングル部１０とその上のカバー材２３ａ、２３ｂ、２３ｃの端部は四隅において突合せられる。
【００３２】
カバー材２３ａ、２３ｂ、２３ｃの取り付けによって、アングル部１０の取付片１２とカバー材２３ａ、２３ｂ、２３ｃとは重合するが、取付ビス３４を皿木ネジとすることにより、カバー材２３ａ、２３ｂ、２３ｃによって取付ビス３４の頭を隠すことができる。
【００３３】
なお、この例においても、下枠２のアングル部１０を覆うカバー材２３ｂは、面板２７にこぼれた水や結露水を排水できるように、面板２７を室外側に向かって低く傾斜させるのが好ましい。
【００３４】
次に、上記上枠１、下枠２、左右の縦枠３に取り付けたカバー材２３ａ、２３ｂ、２３ｃの四隅の突合せ部には、上下各１対のコーナーキャップ３５、３６が設けられている。このコーナーキャップ３５、３６は、上下枠１、２に沿って配置される水平部３７と縦枠３に沿って配置される垂直部３８とを直角に連結したものである。上部コーナーキャップ３５の水平部３７は、上枠１のアングル部１０の位置決め片１１のうち取付片１２よりも下方の部分と上枠１のカバー材２３ａの外形とに即して形成されている。また、下部コーナーキャップ３６の水平部３７は下枠２のカバー材２３ｂの外形に即して形成されている。これに対し、上下部のコーナーキャップ３５、３６の垂直部は対応する縦枠３のカバー材２３ｃの外形に即した形状になっている。
【００３５】
また、図１２に示したように、下部コーナーキャップ３６の垂直部３８の上端面は、カバー材２３ｂの面板と同様に、室外側に向かって低く傾斜するように形成されているとともに、その外側縁に縁壁を設けることにより結露水受け４０が形成されている。
【００３６】
各コーナーキャップ３５、３６の垂直部３８の裏面には両面テープ５０が取り付けられている。また、その内側には係止片４２が突出形成されている。縦枠３のアングル部１０の取付片１２には、係止片４２に対応する位置に係止孔４４が形成されている。
【００３７】
コーナーキャップ３６は、図１０（ｃ）に示されるように、水平部を上下のカバー材２３ａ、２３ｂの面板２７上に当接し、垂直部の係止片４２を縦枠３のカバー材２３ｃを貫通してアングル部１０の係止孔４４に係止するとともに、両面テープ５０をカバー材２３ｃの面板に貼着することによって固定されている。
【００３８】
上述の構成によっても、樹脂枠の室内側アングル部１０によって建屋躯体に固定するための取付ビス３４の頭を隠すことができるため、アングル部１０の見栄えがよくなるとともに、コーナーキャップ３５、３６によりカバー材２３ａ、２３ｂ、２３ｃ間の隙間を隠すことができるので、コーナー部の意匠性が向上する。
【００３９】
また、コーナーキャップ３５、３６を設けることにより、カバー材２３ａ、２３ｂ、２３ｃの熱収縮による隙間を隠すことができる。
【００４０】
さらに、縦枠３のカバー材２３ｃの表面に結露が生じても、結露水はコーナーキャップ３６の結露水受け４０に流れ落ち、結露水受け４０の傾斜に沿って流れ、室外側に排出される。このように、コーナーキャップ３６に結露水受けの機能を持たせたので、結露水が効率的に処理される。
【００４１】
なお、上記図示例において、結露水受け４０の機能は上記構成に限定されない。下部コーナーキャップの垂直部の上面を室外側に低く傾斜させるとともに、縦枠側に低く傾斜するように形成してもよい。
【００４２】
【発明の効果】
第１の発明又は第２の発明によれば、樹脂枠の室内側アングル部によって建屋躯体への取付ビスの頭を隠したので、アングル部の意匠性（見栄え）が向上する。
【００４３】
第３の発明によれば、コーナーキャップを設けることにより、各カバー材間の隙間を隠すことができるとともに、カバー材の熱収縮による隙間を隠すことができるので、コーナー部の意匠性が向上する。
【００４４】
第４の発明によれば、コーナーキャップに結露水受けの機能を持たせたので、結露水を効率的に処理することができる。
【図面の簡単な説明】
【図１】本発明に係る断熱サッシの縦断面図
【図２】上記断熱サッシの横断面図
【図３】上記断熱サッシの上下枠の要部の拡大断面図
【図４】上記断熱サッシの縦枠の要部の拡大断面図
【図５】（ａ）（ｂ）（ｃ）はそれぞれ上枠、下枠、縦枠の一部の拡大断面図
【図６】下枠に対するカバー材の取付態様説明図
【図７】（ａ）（ｂ）は下部コーナーキャップの斜視図
【図８】他の例の断熱サッシの上下枠の要部の拡大断面図
【図９】上記断熱サッシの縦枠の要部の拡大断面図
【図１０】（ａ）（ｂ）（ｃ）はそれぞれ上枠、下枠、縦枠の一部の拡大断面図
【図１１】下枠に対するカバー材の取付態様説明図
【図１２】下部コーナーキャップの他の例の斜視図
【符号の説明】
１０  アングル部
１２  取付片
２２  額縁
２３ａ、２３ｂ、２３ｃ  カバー材
２５  室内側係合部
２６  室外側係合部
【図１】
2004360322.tif 000003
【図２】
2004360322.tif 000004
【図３】
2004360322.tif 000005
【図４】
2004360322.tif 000006
【図５】
2004360322.tif 000007
【図６】
2004360322.tif 000008
【図７】
2004360322.tif 000009
【図８】
2004360322.tif 000010
【図９】
2004360322.tif 000011
【図１０】
2004360322.tif 000012
【図１１】
2004360322.tif 000013
【図１２】
2004360322.tif 000014